(57)【要約】      （修正有）【課題】過度な消費電力を要することなく、ごく簡単な構造にして小さなスペースに設置でき、取扱容易にした注射針処理装置を提供する。【解決手段】合成樹脂製の針基に金属製の針管が成形により一体に取付けられてなる注射針の処理装置であって、被処理注射針付き注射器体の挿入口２ａを備えた本体ケース２の内部に、注射針を所定の姿勢で保持するとともに処理後に注射器体を排出させる機能を備えた注射器体の保持手段１０と、注射針の針基部分に対し加熱光線を集光照射して針基を加熱する加熱手段４０と、挿入された針管を把持して引き抜き操作する引き抜き手段３０と、挿入される針管と接触すると前記加熱手段を作動させ、かつ針管が針基から抜け出すと加熱手段の作動を停止するとともに処理済み注射器体を排出させる操作をする制御手段とを備えた構成である。【選択図】図１
0003171332.tif 000002
【実用新案登録請求の範囲】
【請求項１】
合成樹脂製の針基に金属製の針管が成形により一体に取付けられてなる注射針の処理装置であって、
被処理注射針を装着された注射器体を差し込む挿入口を備えた本体ケース内部に設けられて、前記注射針を所定の姿勢で保持するとともに処理後に注射器体を排出させる機能を備えた注射器体の保持手段と、前記注射針の針基部分に対し針管軸線に沿って加熱光線を集光照射して針基を加熱する加熱手段と、挿入された針管を挟み付けて針基加熱後に引き抜き操作する引き抜き手段と、挿入される針管と接触すると前記加熱手段を作動させ、かつ針管が針基から抜け出すと加熱手段の作動を停止するとともに処理済み注射器体を排出させる操作をする制御手段とを含む構成であることを特徴とする注射針処理装置。
【請求項２】
前記本体を形成するケースには、上面に注射器体の注射針を差し込む挿入口が、挿入軸心線を斜め下向きにして設けられ、その挿入口に対応する本体ケース内側に前記注射器体の保持手段が配置される構成である請求項１に記載の注射針処理装置。
【請求項３】
前記注射器体の保持手段は、基部に保持筒の軸線と直交して付設された支持軸で本体ケース内部に設けられた支持フレームに軸支持される筒体で、その軸心が前記本体ケースの挿入口に対応するように配置され、前記支持軸に取付く回転体を介してモータにて所定回転角開口側が下向きに回動してホルダー排出後、回転体への動力伝達力が除かれると引き戻し手段によって定位置に復帰するように構成されている請求項１または２に記載の注射針処理装置。
【請求項４】
前記引き抜き手段は、前記注射器体の保持手段の中心線延長線上に周面が位置するようにして配置される駆動ローラと、この駆動ローラに対向して設けられるピンチローラと、前記駆動ローラを回転させる減速モータおよび前記ピンチローラを所要時に駆動ローラに対して押し当てる加圧機構とで構成されている請求項１に記載の注射針処理装置。
【考案の詳細な説明】
【技術分野】
【０００１】  本考案は、使用済みの医療用注射針を廃棄するために、簡単な操作で、かつ安全に処理できる注射針処理装置に関するものである。
【背景技術】
【０００２】  従来、医療用として使用済みの注射針は、針管の端部が尖鋭であり、血液で汚染されていることから取扱い上危険である。そのために、一般のゴミとは区別して廃棄処分する必要がある。そして、一般的に注射針などは、プラスチック製の針基に金属製の針管がインサート成形されて針管と針基とが一体に形成されたものが使用されている。また、注射器のシリンジ（筒体）もプラスチック製の使い捨てのものが汎用されている。【０００３】  ところで、使用済みとして廃棄される注射器における注射針は、血液によって汚染された針管の尖端が鋭利であるので装着したままシリンジとともに廃棄処分すると廃棄物が嵩張るので、取扱い上注射針の部分とシリンジとに分割して処理するのが望ましい。しかしながら、その注射針部分を手で取り外して処理することは衛生上好ましくなく、また危険を伴うので、使用済みの注射針を安全に処理する手段について種々の提案がなされている。【０００４】  その多くは、例えば特許文献１あるいは特許文献２などによって知られるように、処理する注射針の針管に通電してジュール熱で加熱溶融し、無害化処理する方式を採用することが記載されている。【０００５】  しかしながら、前記特許文献１に開示されているものは、一対のローラ電極間に押し込んだ注射器の針管が直下位置にあるローラ電極に針管先端が接触すると上下位置にあるローラ電極間が針管によって短絡し、この針管に大電流が流れることにより生じるジュール熱によって溶解され、針を短く溶解する方式のものであり、一見簡単な処理方式であるが、シリンジに針が付着したままで嵩張ることに変わりがない。また、処理するのに針管を溶解させる必要上電気容量が大きくなるという問題点がある。【０００６】  また、特許文献２に開示されている注射針の処理装置は、処理部に挿入した針管に電流を流してジュール熱を発生させ、針基を被覆してシリンジへの取付を行っている樹脂被覆部を溶融させ、針管を取り除くものである。また同時に電極に針管先端を接触して通電する際に、その針管先端の一部を溶融させて先端を変形させることで安全に処理しようとするものが記載されている。しかしながら、この方式においても針管に通電してジュール熱を発生させるものであるから、短い時間で処理しようとすれば、やはり電気容量が大きくなる。
このように、従来知られている注射針の処理装置は、消費電気容量が大きくて、かつその構造においてどうしても大型化し、設置スペースにゆとりのない医療現場に配置して速やかに処理する装置としては適当でないという問題点がある。【０００７】  一方、樹脂製の針基に金属製の針管をインサート成形された注射針など医療用針を処理するのに、針管の針基部分を光加熱手段（例えばハロゲンランプなどの光源を用いて赤外線を集光照射させる）によりピンポイントに加熱して、樹脂成形部分から針管を抜き取る方式が特許文献３によって知られている。しかしながら、この先行技術にあっては、針管を抜き取り処理できる反面、針筒部分が挿入口側に残留する（具体的な記載がない）ので、この鉢管部分が自動的に排除処理できない。したがって、例えば採血用針のように採血針ホルダーを有する医療用針の場合、その採血針ホルダーを手で取り外す必要があって不具合であるという問題点がある。
【先行技術文献】
【特許文献】
【０００８】
【特許文献１】特開２０００−１１６７７６
【特許文献２】特開２００１−２５４９３
【特許文献３】特開２０１０−６９０３２
【考案の開示】
【考案が解決しようとする課題】
【０００９】  このような課題を解決するために本考案は、過度な消費電力を要することなく、ごく簡単な構造にして小さなスペースに設置でき、取扱容易にした注射針処理装置を提供しようとするものである。
【課題を解決するための手段】
【００１０】  前記目的を達成するために、本考案によるに注射針処理装置は、
合成樹脂製の針基に金属製の針管が成形により一体に取付けられてなる注射針の処理装置であって、被処理注射針を装着された注射器体を差し込む挿入口を備えた本体ケース内部に設けられて、前記注射針を所定の姿勢で保持するとともに処理後に注射器体を排出させる機能を備えた注射器体の保持手段と、前記注射針の針基部分に対し針管軸線に沿って加熱光線を集光照射して針基を加熱する加熱手段と、挿入された針管を挟み付けて針基加熱後に引き抜き操作する引き抜き手段と、挿入される針管と接触すると前記加熱手段を作動させ、かつ針管が針基から抜け出すと加熱手段の作動を停止するとともに処理済み注射器体を排出させる操作をする制御手段とを含む構成であることを特徴とするものである。【００１１】  前記考案における本体を形成するケースには、上面に注射器体の注射針を差し込む挿入口が、挿入軸心線を斜め下向きにして設けられ、その挿入口に対応する本体ケース内側に前記注射器体の保持手段が配置される構成であるのがよい。【００１２】  本考案における注射器体の保持手段は、基部に保持筒の軸線と直交して付設された支持軸で本体ケース内部に設けられた支持フレームに軸支持される筒体で、その軸心が前記本体ケースの挿入口に対応するように配置され、前記支持軸に取付く回転体を介してモータにて所定回転角開口側が下向きに回動してホルダー排出後、回転体への動力伝達力が除かれると引き戻し手段によって定位置に復帰するように構成されているのがよい。【００１３】  また、前記引き抜き手段は、前記注射器体の保持手段の中心線延長線上に周面が位置するようにして配置される駆動ローラと、この駆動ローラに対向して設けられるピンチローラと、前記駆動ローラを回転させる減速モータおよび前記ピンチローラを所要時に駆動ローラに対して押し当てる加圧機構とで構成されているのがよい。
【考案の効果】
【００１４】  本考案の注射針処理装置によれば、注射器体と一体成形された針基を熱光線の集中照射によって樹脂部を加熱軟化させて針管の引き抜き操作を容易にすることにより過度な消費電力を要することなく、ごく簡単な構成により無理なく注射器体（ホルダーもしくはシリンジ）から針管を抜き取り分別することができる。しかも、小さなスペースに設置できて他の作業に支障を与えることもなく、取扱容易なものとすることができた。【００１５】  また、本考案では、針管の引き抜き要部に対して斜め下向きに被処理注射器を挿入して起動すれば、以後自動的に針管と注射器体とを分離して危険を伴う針管を安全に回収処理することができる。しかも、加熱に伴う異臭の発生もなく、作業環境を阻害することもない。
【図面の簡単な説明】
【００１６】
【図１】  図１は本考案に係る注射針処理装置の全体概要図である。
【図２】  図２は駆動要部を展開して表す図である。
【図３】  図３は図１の右側面図である。
【図４】  図４はピンチローラの偏心操作要部を模式的に表す図である。
【図５】  図５は作動態様概略図である。
【考案を実施するための形態】
【００１７】  次に、本考案による注射針処理装置の具体的な実施の形態について、図面を参照しつつ説明する。
【００１８】  この実施形態の注射針処理装置１は、採血用注射針を処理する装置であって、上面の一部を斜め下向きに傾斜させて左右両側面と前面および背面を囲む箱型に形成された本体ケース２と、この本体ケース２の底部に複数の脚片３′を取付けて支持するように形成される基板３と、この基板３の上面に所定の間隔で左右に立設される支持フレーム４と、前記支持フレーム４により所定角度回転可能に軸支持されて前記本体ケース２に設けられた挿入口２ａから挿入される被処理注射針５０（以下、「注射器体５０」という）のホルダー５１を受け入れる注射器体の保持手段１０と、この保持手段１０によって保持された注射器体５０の針基部を加熱光線の集光照射で加熱する加熱手段と、前記支持フレーム４に駆動軸３２で支持されて回転自在な駆動ローラ３１と所定時間針管を挟んで引き抜き操作できるピンチローラ３３とを対向配置してモータ駆動により針管を引き抜き操作する引き抜き手段３０および前記各部を所定のプログラムに基づき制御する制御手段（図示省略）とで構成されている。なお、この説明において、各部の向きは、本体ケース２の挿入口２ａを備える傾斜面が正面側（全面側）として前後左右、上下の方向で記載している。
【００１９】  前記本体ケース２は、長方形の基板３を取り囲むようにして左右・前後と上面を所要寸法で覆う構造にされ、上面が前半部を斜め下向きに傾斜させて、その傾斜面の中間部に挿入口２ａが設けられている。また、前面下部には処理済みの注射器体５０のホルダー５１などの取出口２ｃが形成されている。この本体ケース２は金属板あるいはプラスチックで形成される。なお、前記基板３は底面の四隅位置に脚片３′が取付けられている。前記挿入口２ａは、処理する採血用注射針のホルダー部分（以下、単に「ホルダー５１」という）が挿入容易な口径に形成されている。
【００２０】  前記支持フレーム４は、本体ケース２の内部に収まる高さ寸法で所要の間隔をおいて左右に平行起立するプレート部材４１，４１にて形成されており、主要部分はこの支持フレーム４に取付いて機能するようにされている。
【００２１】  前記注射器体の保持手段１０としては、前記挿入口２ａの中心を通る中心線Ｑ上で内部にホルダー５１を保持できる寸法のホルダー保持筒１１が、基端部１１ａの一方側面にて水平方向に直交装着された支持軸１２を支持フレーム４の軸受部１３，１３にて支持されて、通常時には挿入側１１ｂが挿入口２ａに合致する状態に保持されている。このホルダー保持筒１１の基端部１１ａには保持筒内部に受け入れたホルダー５１の肩部を受け止めるための受け片１１ｃが左右対称に設けてある。なお、採血用針の場合ホルダー５１の開口端に形成されるフランジ部を保持筒１１の挿入側端面に接触させて保持できるようにしてもよい。また、前記支持軸１２の端部には突片１４′を設けた支持部材１４が固定され、前記突片１４′に引き戻し用のばね１５（引きばね）の一端が取付けられている。そして、ホルダー保持筒１１の定位置上部にはストッパー１６が支持フレーム４に取付けられ、通常時に前記引きばね１５によりホルダー保持筒１１を定位置に保持するようにされている。
【００２２】  このように構成されるホルダー保持筒１１（保持手段１０）の前方位置には、針管の引き抜き手段３０としてホルダー保持筒１１の軸心線Ｑの延長線上に周面が接するようにして下側に駆動ローラ３１が、そして、この駆動ローラ３１の上側位置にピンチローラ３３が相対向して設けられている。ピンチローラ３３は支持軸３４上で回転自在に支持され、その支持軸３４の一端に形成される頭部３４ａが支持軸心Ｐに対して所要寸法ｔ偏心して形成されており、前記支持軸頭部３４ａと偏心継ぎ手部材３５ａによって偏心操作軸３５が連結されている。前記偏心操作軸３５の端部には偏心操作部片３６が装着されており、この偏心操作部片３６の軸心から所要半径離れた位置に一対のピン３６ａ，３６ｂが軸線に平行して突設され、その一方のピン３６ａは支持フレーム４の外側面に沿って設けられ上下方向に作動する電磁ソレノイド３７の心棒に直結されたロッドと連結されており、他方のピン３６ｂには引き戻し用の引張ばね３８が繋がれている。このようにされた引き抜き手段３０では、電磁ソレノイド３７が作動した時のみ前記駆動ローラ３１の周面にピンチローラ３３が最接近して被処理注射針の針管５２を挟みつけるようにされている。なお、前記ピンチローラ３３を偏心操作軸３５により回動変位する構成が本発明における加圧機構に対応する。
【００２３】  前記駆動ローラ３１とピンチローラ３３とは、支持フレーム４に取付けられる減速モータ２１により歯車列２２でもって回転駆動するようになっている。すなわち、減速モータ２１の出力軸に取付く歯車２２ａから駆動軸３２上に取付く歯車２２ｂに動力伝達され、さらに駆動軸３２に固着の歯車２２ｃから支持軸３４上にて遊転する歯車２２ｄに伝達され、その歯車２２ｄとピンチローラ３３とは噛み合い継ぎ手によって接続されて回転力が伝達されるようになっている。もちろん、このピンチローラ３３は駆動ローラ３１の周速に合致する速度で支持軸３４上にて遊転するようにされている。
【００２４】  一方、前記駆動ローラ３１の駆動軸３２には伝動プーリ２５が取付けられ、この伝動プーリ２５と前記注射器体の保持手段１０におけるホルダー保持筒１１の支持軸１２に取付けられた従動プーリ２６とに伝動ベルト２７が巻き掛けられて回転力が伝達されるようになっている。なお、前記駆動軸３２上の伝動プーリ２５には一方クラッチ（図示せず）が組み込まれ、駆動ローラ３１の正回転時（針管を引き抜く方向に回転するとき）には一方クラッチが空転し、逆転時にのみ前記伝動プーリ２５が回転するようになっている。なお、支持軸１２の外端にはホルダー保持筒１１の反転時の回転角を検知するセンサ検知板１７が付されている。符号１７′はセンサである。
【００２５】  前記ホルダー保持筒１１の基端部１１ａと前記引き抜き手段３０の駆動ローラ３１との間における上側位置には、支持フレーム４に支持されるランプ支持部材６によって熱線照射ランプ４３が被処理注射針の挿入線Ｑ上、特にホルダー保持筒１１に挿入された注射器体５０の針管５２における針基５３を包み込む合成樹脂に対して熱線が集合する位置関係を保つようにして取付けられている。ここで使用される熱線照射ランプ４３としては、例えばハロゲンランプが用いられる（ただし、これに限定されるものではなく、同等の機能を発揮するものであってもよい）。なお、前記ホルダー保持筒１１は、この熱線照射ランプ４３の集光位置を妨げないように、ホルダー５１が受け片１１ｃで受け止められたとき、針基５３がホルダー保持筒１１の基端面から突き出すようにされている。このようにして加熱手段４０が構成される。
【００２６】  前述のような注射器体の保持手段１０と、針管の引き抜き手段３０、および加熱手段４０は、図示省略するが本体内部に配置される制御手段によって予め設定された手順に従ってＣＰＵにて制御するようにされている。
【００２７】  また、本体ケース２の内底部には、処理済みの針管５２を受け入れる針受け箱４５が配置され、本体ケース２の前面下部に設けられた開口部２ｃから出し入れできるようにされている。この針受け箱４５は、底板上で支持フレームの側部に配置され、抜き取られるとそのまま重力で受け入れられるように上面開放型になっており、本体ケース２の前面開口部２ｃから出し入れできるようになっている。
【００２８】  前記制御手段としては、図示省略するが、被処理注射器体５０を挿入口２ａから本体ケース２の内部で、対向位置にあるホルダー保持筒１１内に受け入れられたことが、鉢管５２の挿入移動を検知するセンサ（図示省略）をその移動線上で設け、このセンサからの針管受入れ検知信号で熱線照射ランプ４３に電源から通電点灯するようにされ、この熱線照射ランプ４３への通電回路中にタイマーを配して加熱に要する時間通電するようにされる。一方、前記熱線照射ランプ４３への通電開始と同時に電磁ソレノイド３７を作動させてロッドを引き下げるとピンチローラ３３が回動変位して駆動ローラ３１とによって針管５２を挟むようにされている。駆動ローラ３１は熱線照射ランプ４３による加熱で注射針の針基５３を覆う樹脂部が軟化し、針管５２が移動可能な状態となる所要時間経過後、減速モータ２１によって駆動されるようになっている。この駆動ローラ３１の回転が所要時間経過すると、タイマーによって減速モータ２１が停止され、次いで逆転してベルト２７の伝動でホルダー保持筒１１を下方へ向けて回転させるようになっている。なお、ホルダー保持筒１１は、所定角度回動するとセンサ１７′の検知によって減速モータ２１が停止され、ベルト伝動力が除かれると引き戻しばね１５によって反転して定位置に戻されるようになっている。
【００２９】  次に、このように構成される注射針処理装置１の使用態様を説明する。電源スイッチを入れた状態で本体ケース２の挿入口２ａから使用済みの注射器針を挿入し、その注射器体５０はホルダー保持筒１１の受け片１１ｃにてホルダー５１の肩部が受け止められ、そのホルダー保持筒１１内に収まるようにする。すると、針管５２がホルダー保持筒１１の先端（基端）から先に突き出すことによりセンサが挿入を感知して制御手段のＣＰＵに受入れ状態が指令される。
【００３０】  ＣＰＵからの指令で加熱手段４０の熱線照射ランプ４３が点灯し、ホルダー保持筒１１により保持された注射針の針基５３に熱線が照射集光して加熱される。前記針基５３はホルダー５１とともにプラスチックにて一体成形されているので、熱線照射ランプ４３から照射される熱線でごく短時間で融点近くまで加熱され、軟化する。熱線照射ランプ４３が例えばハロゲンランプであれば、約５秒程度の加熱により針基５３を軟化させることが可能である。同時に電磁ソレノイド３７を作動させ、ロッドが引き下げられると、偏心操作部片３６を介して偏心操作軸３５が回動される。この偏心操作軸３５と偏心継ぎ手部材３５ａにて連結されている支持軸３４が偏心位置から変位してピンチローラ３３を駆動ローラ３１に近接させ、両ローラ３１，３３によって針管５２を挟み付ける。
【００３１】  前記熱線照射ランプ４３の点灯から所要時間経過すると、タイマーの働きで減速モータ２１が起動される。すると、駆動ローラ３１が正回転してピンチローラ３３も同時に回転し、両ローラ３１，３３による挟持力で針管５２に下方への引張力が加えられる。すると、針管５２はホルダー５１における軟化した針基５３から簡単に引き抜かれ、針基５３から抜け出す距離移動させられて離れる。すると、ピンチローラ３３に加えられていた電磁ソレノイド３７による引き下げ変位力が除かれ、引き戻しばね３８の引張力で偏心操作軸３５が元に戻されるのでピンチローラ３３が持ち上げられ、針管５２への挟持力が消去するので、この針管５２は重力でそのまま針受け箱４５内に落下し、収容される。
【００３２】  一方、針管５２が引き抜かれたホルダー５１は、ホルダー保持筒１１内に残留する。そこで、前記針管５２の引き抜き動作が終了すると、駆動ローラ３３を回転駆動していた減速モータ２１の正転が停止し、次いで逆回転駆動される。減速モータ２１の正回転動作中は一方向クラッチが停止状態であったのが、モータの逆回転で一方クラッチが作動して駆動軸３２上の伝動プーリ２５に回転力が与えられ、伝動ベルト２７によって従動プーリ２６に回転力が伝達される。こうして従動プーリ２６が取付く支持軸１２の回動によりホルダー保持筒１１が下向きに回動し、ほぼ９０度転倒することによって内部に残留していた処理済みのホルダー５１が抜け落ちて本体ケース２の前下部の開口部２ｃから外部に放出される。
【００３３】  ホルダー５１の放出が終わると、減速モータ２１による駆動が停止するのに応じて、駆動ローラ３１による一方向クラッチを介してのホルダー保持筒１１への回転力が除かれるので、駆動軸３２がフリーになり、ホルダー保持筒１１に繋がれている引き戻しばね１５の復元張力によりホルダー保持筒１１が反転する。このホルダー保持筒１１が反転するとストッパー１６により反転回動力が阻止されて所定の位置に復帰し、次の操作に対して待機状態に戻る。
【００３４】  以上の一連の動作は、制御手段のＣＰＵに組み込まれたプログラムにより所定の手順で順次作動し、挿入口２ａから被処理注射針を挿入すれば、以後自動的に針管５２が抜き取られてその針管５２とホルダー５１に分離され、危険を伴う針管５２は針受け箱４５に収容され、ホルダー５１のみが手元に放出されるので、このホルダー５１を整理すれば、安全に処理することができるのである。
【００３５】  なお、この実施形態の注射針処理装置では、被処理注射針の挿入口を前下がりの傾斜面にした本体ケースの上面に設けて斜め下向きに被処理注射針を挿入できるように形成してあるので、取扱いが便利であり、しかも針管が引き抜かれると後は針受け箱内に重力で自動的に落下して収容できる利点がある。
また、本考案に係る注射針処理装置は、全体的に嵩低く形成されるので配置スペースも小さくて済み、駆動エネルギーも熱線照射ランプに要する電力以外はほとんど僅かな消費電力であるから、経済的に有用である。
【００３６】  以上は採血用針の処理について説明したが、必要に応じて前記ホルダー保持筒の寸法を変更することで一般の注射器における注射針の処理を行うようにすることもできる。
【符号の説明】
【００３７】  １          注射針処理装置
２          本体ケース
２ａ        挿入口
４          支持フレーム
１０        注射器体の保持手段
１１        ホルダー保持筒
１２        ホルダー保持筒の支持軸
１５        引きばね
２１        減速モータ
２２        伝動歯車列
２５        一方クラッチを内蔵した伝動プーリ
２６        従動プーリ
３０        針管の引き抜き手段
３１        駆動ローラ
３３        ピンチローラ
３４        支持軸
３５        偏心操作軸
３５ａ      偏心継ぎ手部材
３６        偏心操作部片
３７        電磁ソレノイド
３８        引張ばね
４０        加熱手段
４３        熱線照射ランプ
４５        針受け箱
５０        注射器体（被処理注射針）
５１        ホルダー
５２        針管
５３        針基
【図１】
0003171332.tif 000003
【図２】
0003171332.tif 000004
【図３】
0003171332.tif 000005
【図４】
0003171332.tif 000006
【図５】
0003171332.tif 000007